(57)【要約】【課題】洗い、すすぎ、脱水の洗濯行程と乾燥行程を有する洗濯乾燥機において、簡単な構造で乾燥を可能にして、機体本体を大きく、かつ重量を増加することもなく、リントを回収するフィルターを目詰まりさせることなく、フィルターを万一装着し忘れてもヒータを目詰まりさせることがないようにする。【解決手段】外槽カバー４３には、温風送風手段４９に送風蛇腹ホース５０を介して接続する温風供給口５１が外槽カバー４３内方開口部の後方側で内槽４２内を臨む位置に設けられ、外槽カバー４３または内蓋４４には、内槽４２内の温風を排出する排気口５２が内槽４２内を臨む位置でかつ外枠カバー２４の開口部より視認可能な位置に設けられ、排気口５２には、洗濯物の撹拌によって発生したリントを捕集する排気フィルター５４が排気口５２を覆うように着脱自在に設けられた。【選択図】図１
2006175275.tif 000002
【特許請求の範囲】
【請求項１】
外枠と、前記外枠の上部に配設され開口部を有する外枠カバーと、前記開口部を開閉自在に覆う外蓋と、洗濯物を収容する内槽と、前記外枠内に弾性的に吊り下げられ前記内槽を回転可能に内包した外槽と、前記外槽の上方開口側に配し洗濯物を投入するための内方開口部を有する外槽カバーと、前記内方開口部に開閉自在に設けられ後部に開閉支点を有する内蓋と、前記外枠カバーの後方内部に設けられ外気を吸気して加熱し前記内槽内に温風を送風する温風送風手段とを備え、前記外槽カバーには、前記温風送風手段に送風蛇腹ホースを介して接続する温風供給口が前記内方開口部の後方側で前記内槽内を臨む位置に設けられ、前記外槽カバーまたは前記内蓋には、前記内槽内の温風を排出する排気口が前記内槽内を臨む位置でかつ前記外枠カバーの前記開口部より視認可能な位置に設けられ、前記排気口には、洗濯物の撹拌によって発生したリントを捕集する排気フィルターが前記排気口を覆うように着脱自在に設けられた洗濯乾燥機。
【請求項２】
排気口は、内方開口部の後方側で、かつ温風供給口の前方側に設けられた請求項１記載の洗濯乾燥機。
【発明の詳細な説明】
【技術分野】
【０００１】
本発明は、洗い、すすぎ、脱水の洗濯行程と乾燥行程を有する洗濯乾燥機に関する。
【背景技術】
【０００２】
従来、この種の洗濯乾燥機は図９に示すような構成が提案されている。以下、その構成について説明する。
【０００３】
図９に示すように、外枠１は、内部に複数のサスペンション２によって弾性的に吊り下げた外槽３を設け、脱水時の振動を吸収する構成としている。外槽３の内部に、洗濯物および乾燥対象物を収容する内槽４を脱水軸５を中心に回転可能に配設し、内槽４の内底部に洗濯物および乾燥対象物（以下、衣類という）を撹拌する回転翼６を洗濯軸７を中心に回転自在に配設している。
【０００４】
内槽４の内部周壁に小孔（図示せず）を多数設けるとともに、上方に流体バランサー８を設けている。回転翼６は、外周部に傾斜面９を有する略皿状の基盤の上面に撹拌用突出部１０を形成することで、乾燥行程において衣類を回転翼６の回転による遠心力で傾斜面９に沿って上方へと舞い上がりやすくしている。
【０００５】
外槽３の底部にモータ１１を配設し、その回転力を洗濯時は洗濯軸７に、脱水時は脱水軸５に切り換えて伝達するクラッチ１２を介して、内槽４または回転翼６に連結している。
【０００６】
外枠１内の後方に熱交換器１３を配設し、この熱交換器１３の一端は伸縮自在の下部蛇腹状ホース１４を介して外槽３の下部に接続し、他端は循環する温風に含まれるリントを回収するリントフィルター１５を介して循環用送風機１６の一端に接続している。循環用送風機１６の他端は、加熱手段であるヒータ１７を有する温風供給路１８に接続し、送風蛇腹ホース１９を通って内槽４へ繋がり、循環する温風循環経路２０を構成している。
【０００７】
外槽カバー２１は、略ドーナツ状に形成して外槽３の上方開口側に配設し、送風蛇腹ホース１９から温風を供給する温風供給口２２を設けている。また、この外槽カバー２１に内蓋２３を開閉自在に設け、閉時は外槽カバー２１の開口部を気密的に覆い、開時は衣類を出し入れ可能にしている。
【０００８】
外枠１の上部に開口部を有する外枠カバー２４を配設し、その開口部を開閉自在に覆う外蓋２５、操作表示手段２６、内槽４に給水する給水弁２７を設けている。外槽３の底部に外槽３外に水を排水する排水弁２８を設けている。外枠１の後面には、送風によって外槽３、熱交換器１３等を冷却する冷却用送風機２９を配設している。
【０００９】
制御装置３０は、外枠１の下部に配設し、マイクロコンピュータを具備し、モータ１１、クラッチ１２、循環用送風機１６、ヒータ１７、給水弁２７、排水弁２８、冷却用送風機２９などの動作を制御し、例えば、外槽３の温度を検知するサーミスタ３１、熱交換器１３の出口の循環風温度を検知するサーミスタ３２の検知出力をモニターし乾燥終了を判定する等、洗い、すすぎ、脱水、乾燥の一連の行程を逐次制御するよう構成している。
【００１０】
上記構成において動作を説明する。洗い行程では、外蓋２５と内蓋２３を開けて内槽４内に衣類を投入し運転を開始すると、給水弁２７が開き、外槽カバー２１に接続された給水蛇腹ホース３３を通して所定の水位まで給水した後、モータ１１を駆動する。伝達機構部のクラッチ１２によりモータ１１の動力を洗濯軸７を介して回転翼６に伝達して回転し、撹拌用突出部１０により衣類を撹拌し、衣類どうしまたは内槽４や回転翼６との接触により作用する機械力と水流により衣類の洗浄が行われる。
【００１１】
脱水行程では、洗濯終了後、排水弁２８を開いて内槽４内の水を排水した後、クラッチ１２を脱水側に切り換えて、モータ１１の動力を脱水軸５に伝達し内槽４を回転させ、遠心力により衣類から水分を分離させる。
【００１２】
乾燥行程では、脱水終了後、排水弁２８を閉じ、クラッチ１２を洗濯側に切り換え、モータ１１の回転を回転翼６に伝達して正転、反転させて撹拌用突出部１０で衣類を撹拌する。同時にヒータ１７によって加熱された温風を循環用送風機１６によって送風蛇腹ホース１９を通って温風供給口２２に送り、内槽４内に吹き込まれた温風は、衣類から水分を蒸発させながら下部蛇腹状ホース１４を通過し熱交換器１３へ送られる。
【００１３】
衣類の水分を奪って湿気を含んだ温風が、冷却送風機２９による外部空気の流入で冷却された外槽３の内壁や熱交換器１３内を通過するとき、水分の結露が起こり、湿った温風は除湿されて循環用送風機１６に戻る。この温風循環経路２０で温風を循環させ、内槽４内の衣類を乾燥させる。さらに温風に含まれるリントを温風循環経路２０に着脱可能に設けたリントフィルター１５で回収することができる。
【発明の開示】
【発明が解決しようとする課題】
【００１４】
しかしながら、このような従来の構成では、熱交換器１３は一端を下部蛇腹状ホース１４を介して外槽３の下部に接続し、他端を循環用送風機１６の一端に接続しているため、温風循環経路２０は必然的に大がかりなものになり、機体本体も大きく、重量も増加してしまう。
【００１５】
また、外気によって熱交換器１３内を循環する温風を間接的に冷却する空冷方式は、広い熱交換面積が必要となり、外枠１の後面に冷却用送風機２９を配設する必要があるため、さらに機体本体が大きく、重量も増加してしまう。
【００１６】
また、リントフィルター１５は温風循環経路２０の一部に形成しているため、高温、高湿度の温風が循環し、温風に含まれるリントも必然的に高温、高湿度になり、リントフィルター１５が目詰まりしやすいという問題を有していた。
【００１７】
さらに、リントフィルター１５は着脱自在に装着しているため、装着を忘れて乾燥運転されたとき、温風に含まれるリントの多くは温風供給路１８内のヒータ１７を直接通過することになり、ヒータ１７を目詰まりさせて乾燥性能が大きく低下するという問題を有していた。
【００１８】
本発明は上記従来の課題を解決するもので、簡単な構造で乾燥を可能にして、機体本体を大きく、かつ重量を増加することなく、リントを回収するフィルターを目詰まりさせることなく、しかもフィルターを万一装着し忘れてもヒータを目詰まりさせることのない信頼性の高い洗濯乾燥機を実現することを目的としている。
【課題を解決するための手段】
【００１９】
上記従来の課題を解決するために、本発明の洗濯乾燥機は、外枠と、前記外枠の上部に配設され開口部を有する外枠カバーと、前記開口部を開閉自在に覆う外蓋と、洗濯物を収容する内槽と、前記外枠内に弾性的に吊り下げられ前記内槽を回転可能に内包した外槽と、前記外槽の上方開口側に配し洗濯物を投入するための内方開口部を有する外槽カバーと、前記内方開口部に開閉自在に設けられ後部に開閉支点を有する内蓋と、前記外枠カバーの後方内部に設けられ外気を吸気して加熱し前記内槽内に温風を送風する温風送風手段とを備え、前記外槽カバーには、前記温風送風手段に送風蛇腹ホースを介して接続する温風供給口が前記内方開口部の後方側で前記内槽内を臨む位置に設けられ、前記外槽カバーまたは前記内蓋には、前記内槽内の温風を排出する排気口が前記内槽内を臨む位置でかつ前記外枠カバーの前記開口部より視認可能な位置に設けられ、前記排気口には、洗濯物の撹拌によって発生したリントを捕集する排気フィルターが前記排気口を覆うように着脱自在に設けられたものである。
【００２０】
これにより、機体本体を大きくかつ重量を増加させることなく、簡単な構造で乾燥をすることができ、また、リントを含んだ高温度、高湿度の空気を循環させないため、排気フィルターが目詰まりしにくく、排気フィルターを万一装着し忘れてもヒータを目詰まりさせることがなく、信頼性を向上することができる。
【発明の効果】
【００２１】
本発明の衣類乾燥機は、リントを含んだ高温度、高湿度の空気を循環させないで乾燥ができるため、熱交換機を含んだ大掛かりな温風循環経路は必要がなく、機体本体を小さくかつ軽量で簡単な構成が可能となる。また、排気フィルターが外蓋を開けたときに見え易い位置にあることで、リントがたまったことに気付いて掃除をし易いという効果もあり、使用を繰り返すうちに風量が落ちて乾燥性能を低下させることも防ぐことができる。また、排気フィルターを万一装着し忘れてもヒータを目詰まりさせることがなく、信頼性の高い洗濯乾燥機を実現することができる。
【発明を実施するための最良の形態】
【００２２】
第１の発明は、外枠と、前記外枠の上部に配設され開口部を有する外枠カバーと、前記開口部を開閉自在に覆う外蓋と、洗濯物を収容する内槽と、前記外枠内に弾性的に吊り下げられ前記内槽を回転可能に内包した外槽と、前記外槽の上方開口側に配し洗濯物を投入するための内方開口部を有する外槽カバーと、前記内方開口部に開閉自在に設けられ後部に開閉支点を有する内蓋と、前記外枠カバーの後方内部に設けられ外気を吸気して加熱し前記内槽内に温風を送風する温風送風手段とを備え、前記外槽カバーには、前記温風送風手段に送風蛇腹ホースを介して接続する温風供給口が前記内方開口部の後方側で前記内槽内を臨む位置に設けられ、前記外槽カバーまたは前記内蓋には、前記内槽内の温風を排出する排気口が前記内槽内を臨む位置でかつ前記外枠カバーの前記開口部より視認可能な位置に設けられ、前記排気口には、洗濯物の撹拌によって発生したリントを捕集する排気フィルターが前記排気口を覆うように着脱自在に設けられた洗濯乾燥機とすることにより、リントを含んだ高温度、高湿度の空気を循環させないで乾燥ができるため、熱交換機を含んだ大掛かりな温風循環経路は必要がなく、機体本体を小さくかつ軽量で簡単な構成が可能となり、また、排気フィルターが外蓋を開けたときに見え易い位置にあることで、リントがたまったことに気付いて掃除をし易いという効果もあり、使用を繰り返すうちに風量が落ちて乾燥性能を低下させることも防ぐことができ、また、排気フィルターを万一装着し忘れてもヒータを目詰まりさせることがなく、信頼性の高い洗濯乾燥機を実現することができる。
【００２３】
第２の発明は、特に、第１の発明の排気口は、内方開口部の後方側で、かつ温風供給口の前方側に設けられた洗濯乾燥機とすることにより、使用者にとって、さらに見え易く取扱い易くすることができ、内蓋を開閉しても捕集されたリントが周囲に飛び散りにくい構成とすることができる。
【００２４】
（実施の形態１）
以下、本発明の第１の実施の形態を図１から図８を参照しながら説明する。なお、背景技術と同じ構成のものは同一符号を付して説明を省略する。
【００２５】
図１に示すように、外槽４１は、サスペンション２によって外枠１に弾性的に吊り下げ、衣類を収容する内槽４２を内包している。外槽４１の上方開口側に略ドーナツ状の外槽カバー４３を配設し、この外槽カバー４３の内方開口部を開閉自在に覆うように、図２に示すように、内蓋４４を配設している。
【００２６】
外枠１の上部に配設した外枠カバー２４の後方内部に、乾燥用送風機４５を配設し、この乾燥用送風機４５の一端は吸気フィルター４６を介して機体外に通じており、他端はヒータ４７を有する温風供給路４８に接続し、温風送風手段４９を構成している。温風供給路４８は送風蛇腹ホース５０につながり、外槽カバー４３に設けた温風供給口５１から内槽４２内へ温風を供給するよう構成している。
【００２７】
外槽カバー４３に、温風供給口５１から内槽４２内に供給された温風を排気する排気口５２を形成し、その近傍に支持部材（支持部）５３を固定し、排気口５２を覆うように支持部材５３に排気フィルター５４を着脱自在に取り付けている。この排気フィルター５４は枠体にメッシュ状のフィルターを例えばインサート成形等で取り付けたものであり、支持部材５３にセットされた状態で上下方向断面形状は、図３に示すように、略Ｕ字状をなし、開放面５５を略垂直方向としている。また、外槽カバー４３に給水口５６を設け、この給水口５６に接続された給水蛇腹ホース５７によって給水弁２７からの給水を内槽４２に導く。
【００２８】
サーミスタ５８は、温風供給路４８内に設け、温風温度を検知している。制御装置５９は、マイクロコンピュータを具備し、モータ１１、クラッチ１２、給水弁２７、排水弁２８、乾燥用送風機４５、ヒータ４７などの動作を制御し、例えばサーミスタ５８の検知出力をモニターして温風温度が正常な状態かを監視する等、洗い、すすぎ、脱水、乾燥の一連の行程を逐次制御する。
【００２９】
上記構成において動作を説明する。なお、洗い行程から脱水行程までの動作は従来例の動作と同じであるので説明を省略する。
【００３０】
乾燥行程に入ると、排水弁２８を閉じるとともにクラッチ１２を洗濯側に切り換える。そしてモータ１１を駆動して回転翼６に伝達し、回転翼６を正転、反転させて撹拌用突出部１０で衣類を引っかけて撹拌する。また、乾燥用送風機４５とヒータ４７に通電し、吸気フィルター４６を通して吸入した外気を温風に変え、温風供給口５１から内槽４２内に温風を吹き込む。
【００３１】
この温風が撹拌中の衣類を暖め、衣類から水分を蒸発させた後、内槽４２の上方に向かって上昇し、排気口５２から図６の矢印ａ方向に排出される。この際、支持部材５３に着脱自在に取り付けた排気フィルター５４が排気口５２を覆っているため、衣類の撹拌によって発生したリントは排気フィルター５４で捕集され、機体内にリントが散乱するのを防止することができる。
【００３２】
このように、乾燥中の空気の流れは吸入した外気を温風に変え、湿気とともに機体内に排出する構成のため、従来例のような熱交換機を含んだ大掛かりな温風循環経路は必要がなく、機体本体を小さくかつ軽量で簡単な構成とすることができる。
【００３３】
さらに、従来例のように、乾燥効率を高めるためにリントを含んだ高温度、高湿度の空気を循環させる必要がないため、排気フィルター５４が目詰まりしにくく、さらに、使用者が排気フィルター５４を万一支持部材５３に装着し忘れてもヒータ４７を目詰まりさせることがなく、信頼性の高い洗濯乾燥機を実現することができる。
【００３４】
また、排気フィルター５４の位置は、使用者が取扱い易く見え易く、内蓋４４を開閉しても捕集されたリントが周囲に飛び散りにくい場所ということで、図６に示すように、内蓋４４の開閉支点６２の近くが適している。この場合、前方向には内蓋４４を開けた状態（２点鎖線で示す）で排気フィルター５４に干渉しないこと、後方向には外枠カバー２４より後退すると使用者が取扱いにくく見えにくくなるという設置可能スペース上の制約を受ける。
【００３５】
よって、排気フィルター５４の断面形状を略Ｕ字状にし、開放面５５を略垂直方向とすることで、限られたスペースで排気フィルター５４に捕集されるリントの量を増やすことができる。さらに、使用者が乾燥終了後に内蓋４４を開けて衣類を取り出すときに排気フィルター５４に衝撃が加わっても、捕集されたリントが内槽４２内等の周囲にこぼれにくく、衣類への付着を防止できる。
【００３６】
さらに、使用者が排気フィルター５４に捕集されたリントを掃除するとき、支持部材５３から取り外し、略Ｕ字状断面に沿って指で簡単にリントが取れるため掃除がし易く、また、排気フィルター５４が外蓋２５を開けたときに見え易い位置にあることで、リントがたまったことに気付いて掃除をし易いという効果もあり、使用を繰り返すうちに風量が落ちて乾燥性能を低下させることも防ぐことができる。
【００３７】
また、図６に示すように、乾燥中は内蓋４４が閉成状態にあり、内蓋４４の外縁部６０は外槽カバー４３の開口部内縁部６１と全周にわたって隙間を有するため、使用者が排気フィルター５４に捕集されたリントを掃除せずに運転を繰り返し、排気フィルター５４が完全に目詰まりしてしまっても、上述の隙間からも温風が排出される。したがって、外槽４１内の圧力、温度が温風送風手段４９により異常に高まるのを防止することができ、内蓋４４の閉成時に外槽カバー４３の開口部を気密的に覆う従来例に要求されるような強度、剛性は必要なく、機体本体を大きく、かつ重量を増加させることもない。
【００３８】
なお、本実施の形態では、排気フィルター５４の断面形状は略Ｕ字状としたが、略半円状でもよい。また、排気フィルター５４のフィルターはメッシュ状としたが、不織布や、樹脂を格子状に形成しただけでもよく、リントを回収する構成であればよい。
【００３９】
つぎに、図４、図５および図６を参照しながら支持部材５３を外槽カバー４３に固定する例につてい説明する。製品組立時、外槽カバー４３の温風供給口５１に送風蛇腹ホース５０を挿入してバンド６３をはめ、給水口５６に給水蛇腹ホース５７を挿入してバンド６４をはめるとき、外枠カバー２４と外槽カバー４３間の上下方向に狭い空間に手を入れて作業することになる。このとき、排気フィルター５４があると、上方に凸部ができて、さらに空間が狭くなり、組立作業がし難くなる。
【００４０】
そこで、支持部材５３を別部品とし、組立作業に支障をきたす凸部のない状態で送風蛇腹ホース５０、給水蛇腹ホース５７、バンド６３、６４を取り付けた後で、支持部材５３の爪部６５、角穴部６６を外槽カバー４３の角穴部６７、爪部６８に嵌め込み固定し、この支持部材５３に排気フィルター５４をセットする。
【００４１】
この構成により、支持部材５３によって形成される凸部がホース接続作業を阻害するのを防ぐことができ、組立作業性を向上することができる。
【００４２】
なお、本実施の形態では、支持部材５３を外槽カバー４３に取り付けたが、内蓋４４に排気口を設けて支持部材５３を取り付けてもよい。
【００４３】
つぎに、排気フィルター５４の形状、取り付け関係について、図４、図６、図７および図８を参照しながら説明する。
【００４４】
排気フィルター５４は上述したように、樹脂製の枠体７０にメッシュ状のフィルター７１を例えばインサート成形等で取り付けたもので、支持部材５３にセットされた状態での上下方向断面形状が略Ｕ字状をなした横長形状で、開放面５５を略垂直方向としている。排気フィルター５４の両端部７２は枠体７０で閉じられ、突起部７３を有し、支持部材５３には突起部７３に対応する溝部７４を設け、この溝部７４は上方から下方に向かって幅が狭くなっている。
【００４５】
排気フィルター５４の中央上部に把手部７５を設けており、この把手部７５の近傍に設けた係止部７６が、支持部材５３の中央上部に設けた係止部７７に係止する。
【００４６】
使用者が排気フィルター５４に溜まったリントを掃除した後、支持部材５３に排気フィルター５４を図６の矢印ｂ方向にセットするとき、まず突起部７３を溝部７４にセットするが、溝部７４が上方から下方に向かって幅が狭くなっているため、無造作に置いても突起部７３が溝部７４に案内され易く、最後には所定の位置に規制されるので、セットし易くなり使い勝手を向上することができる。
【００４７】
さらに、外槽カバー４３に斜面部７８を設け、枠体７０に当接するようにすれば、さらに排気フィルター５４が案内され易くなる。
【００４８】
排気フィルター５４が溝部７４に案内された状態では、係止部７６が係止部７７の上に乗った位置にあり、この後把手部７５を軽く下方に押せば、枠体７０の変形等の影響を受けることなく確実に係止される。このように、排気フィルター５４が横に長い形状であっても片手で容易にセットすることができる。
【００４９】
さらに、最後に把手部７５を押して係止部７７に係止させるとき、係止部７６が把手部７７の近傍にあることで、排気フィルター５４が変形する等して係止部７７に掛かりにくくなるのを防ぐことができ、軽い力で確実に係止させることができ、セットし易くなり、使い勝手を向上することができる。
【００５０】
また、排気フィルター５４の着脱方向が略上下方向（図６の矢印ｂ方向）であり、乾燥運転中に内槽４２内の温風が排気口５２から排気フィルター５４を通過して機体内へ出る排気方向が略水平方向（図６の矢印ａ方向）であるため、排気フィルター５４が受ける風圧による力の方向に対して着脱方向を変えることができる。
【００５１】
したがって、例えば使用者がリントの掃除をせずに連続使用され、排気フィルター５４が目詰まりして排気圧力が高まったりしても、排気フィルター５４が支持部材５３から外れることがなく安定なセット状態を保つことができる。
【産業上の利用可能性】
【００５２】
以上のように、本発明にかかる洗濯乾燥機は、リントを含んだ高温度、高湿度の空気を循環させないで乾燥ができるため、熱交換機を含んだ大掛かりな温風循環経路は必要がなく、機体本体を小さくかつ軽量で簡単な構成が可能となり、また、排気フィルターが外蓋を開けたときに見え易い位置にあることで、リントがたまったことに気付いて掃除をし易いという効果もあり、使用を繰り返すうちに風量が落ちて乾燥性能を低下させることも防ぐことができ、また、排気フィルターを万一装着し忘れてもヒータを目詰まりさせることがなく、信頼性の高い洗濯乾燥機を実現することが可能となるので、洗い、すすぎ、脱水の洗濯行程と乾燥行程を有する洗濯乾燥機等として有用である。
【図面の簡単な説明】
【００５３】
【図１】本発明の実施の形態１の洗濯乾燥機の縦断面図
【図２】同洗濯乾燥機の外槽カバーと内蓋を配した外槽の拡大平面図
【図３】同洗濯乾燥機のＡ−Ａ線拡大縦断面図
【図４】同洗濯乾燥機の排気フィルター近傍の拡大分解斜視図
【図５】同洗濯乾燥機の排気フィルター近傍の拡大平面図
【図６】同洗濯乾燥機のＢ−Ｂ線拡大縦断面図
【図７】同洗濯乾燥機のＣ−Ｃ線拡大縦断面図
【図８】同洗濯乾燥機のＤ−Ｄ線拡大縦断面図
【図９】従来の洗濯乾燥機の縦断面図
【符号の説明】
【００５４】
４１  外槽
４２  内槽
４３  外槽カバー
４４  内蓋
４９  温風送風手段
５２  排気口
５３  支持部材（支持部）
５４  排気フィルター
５５  開放面
【図１】
2006175275.tif 000003
【図２】
2006175275.tif 000004
【図３】
2006175275.tif 000005
【図４】
2006175275.tif 000006
【図５】
2006175275.tif 000007
【図６】
2006175275.tif 000008
【図７】
2006175275.tif 000009
【図８】
2006175275.tif 000010
【図９】
2006175275.tif 000011